(57)【要約】【課題】採血管全体の容積を少なくし、僅かの採血量でも外部から確認できるようにすることを目的とする。【解決手段】採血管が大径管部と、小径管部との異径段部を有しており、大径管部は通常の採血管と同じ外径を有している。そのため、当該採血管を一般に使用されている採血ホルダーに装着することが可能であり、別途当該採血管のための採血ホルダーを準備する必要がない。また小径管部を設けることにより、少ない採血量の場合でも十分な検体の高さを確保することができ、採血の確認や試薬試験紙の浸潤などを確実に行うことができる。加えて、採血管全体の容積を減少でき、廃棄時に嵩張ることがない。【選択図】図３
2010240380.tif 000002
【特許請求の範囲】
【請求項１】
採血ホルダーに嵌合装着される大径管部と、該大径管部に連続する小径管部とからなり、前記小径管部は採血した検体の収容部であって少ない採血量であっても検体の高さを高く確保することができ、採血の確認や試薬試験紙の浸潤などを行うことができるようになされていることを特徴とする採血管。
【発明の詳細な説明】
【技術分野】
【０００１】  本発明は、生体から採血した検体を収容し、検査工程へ搬送するための採血管に関するものである。
【背景技術】
【０００２】  病院、医院、その他の医療機関における血液検査部門では、採血作業者（看護師等）により、患者から血液を採取し、採取した検体を採血管へ収容して検査部門へ移送するようにしている。血液検査は、その血液検査項目に応じて、多種類の採血管が準備されるようになっており、採血量も検査項目によって異なっている。通常、一人の患者に対して複数種類の検査が同時に行われる。そのため、採血管の準備も一人の患者に対して複数種類のものが採血管準備装置によって自動的に準備されるようになっている。【０００３】  最近では、採血管として、採血管本体の開口部に栓体を装着し、内部を減圧することによって、生体からの血液が採血管内へ流れやすくなるようにした真空採血管が広く採用されている。真空採血管は、特許文献１に示すように、これを筒状の採血ホルダーの開口部側から差し込んで保持させ、採血ホルダーの多端側へ採血針を装着し、生体の血管へ採血針を挿し込んで採血管の減圧圧力を利用して血液を採血管内へ採取するようにしている。【０００４】  ところが、前記真空採血管では、真空採血管を採血針から取り外す前に、誤って駆血体が採血患者の腕から取り外されると、採血患者の血管内部の圧力の方が真空採血管の内圧よりも低くなり、採取した血液が真空採血管から血管側へ逆流することがあった。このような逆流を防止するものとして特許文献２に示す技術がある。【０００５】  この特許文献２に示す技術では、真空採血管を用いた真空採血に際し、採血針本体が取り付けられる採血針用アダプターを用いるようにしている。採血針用アダプターは、真空採血管に挿入される連通針と、血管に挿入される採血針部とが両端側から対向して取り付けられるようになっている。そして、アダプター本体内に前記採血針部と連通針とに連通する血液流路を設け、該血液流路の途中において、該血液流路と交差するように穴を形成してバルブを装着し、前記血液流路を連通させたり又は遮断させている。
【先行技術文献】
【特許文献】
【０００６】
【特許文献１】特開平８−３２２８１９号公報
【特許文献２】特開２００５−２４５７０４号公報
【発明の概要】
【発明が解決しようとする課題】
【０００７】  特許文献２に示すように、真空採血管は、全体が一定の外径（１３ｍｍ）で長さが１００ｍｍ又は７５ｍｍの大きさを有し、プラスチック（ＰＥＴ等）及びガラス製である。一方、採血量は検査項目によってまちまちであるが、採血作業者が確認しやすくするために、ある高さ分だけ確保している。そのため、採血管の外径が１３ｍｍであると、２〜３ｍｌで十分な検査であっても、５〜６ｍｌの採血がなされており、必要以上の血液を採取するという欠点があった。
また全体が１３ｍｍの外径であると、採血管自体の全体容積も大きくなり、廃棄時のゴミが嵩だかになるという欠点があった。【０００８】  本発明は従来の前記課題に鑑みてこれを改良除去したものであって、採血量を少なく要求された場合にはこれに応じた採血量を確保できるようにし、且つ採血管全体の容積を少なくして廃棄時に嵩張ることのないようにした採血管を提供せんとするものである。
【課題を解決するための手段】
【０００９】  而して、前記課題を解決するために本発明が採用した請求項１の手段は、採血ホルダーに嵌合装着される大径管部と、該大径管部に連続する小径管部とからなり、前記小径管部は採血した検体の収容部であって少ない採血量であっても検体の高さを高く確保することができ、採血の確認や試薬試験紙の浸潤などを行うことができるようになされていることを特徴とする採血管である。
【発明の効果】
【００１０】    請求項１の発明にあっては、採血管が大径管部と、小径管部との異径段部を有しており、大径管部は通常の採血管と同じ外径を有している。そのため、当該採血管を一般に使用されている採血ホルダーに装着することが可能であり、別途当該採血管のための採血ホルダーを準備する必要がない。また小径管部を設けることにより、少ない採血量の場合でも十分な検体の高さを確保することができ、採血の確認や試薬試験紙の浸潤などを確実に行うことができる。加えて、採血管全体の容積を減少でき、廃棄時に嵩張ることがない。
【図面の簡単な説明】
【００１１】
【図１】本発明に用いられる採血針の一例を示す側面図である。
【図２】本発明に用いられる採血針の一例を示す縦断面側面図である。
【図３】本発明の一実施の形態に係る採血管の斜視図である。
【図４】本発明の一実施の形態に係るものであり、採血針と採血管とを採血ホルダーへ装着した状態を示す側面図である。
【発明を実施するための形態】
【００１２】  以下に、本発明の構成を図面に示す発明の実施の形態に基づいて説明すると次の通りである。図１は採血針１の側面図、図２は同縦断面側面図、図３は採血管６の斜視図、図４は採血針１と採血管６とを採血ホルダー９へ装着した状態を示す側面図である。図１及び図２に示す如く、採血針１は、生体の血管へ差し込まれる採血針部２と、採血管５側へ連通接続されるスリーブ３と、前記採血針部２と前記スリーブ３との中間に介在してこれらを相互に連通接続するジョイント部４とで構成されている。そして、ジョイント部４は透明なプラスチック材料等で成形されており、その内部には、空洞の圧力室５が形成されている。前記採血針部２の下流側端部とスリーブ３の上流側端部とは、この圧力室５に開口しており、当該圧力室５を介して相互に連通接続されている。前記採血針部２の圧力室５に臨む開口部２ａの開口面積は、スリーブ３の圧力室５に臨む開口部３ａの開口面積よりも大きく設定されている。
【００１３】  一方、採血管６は、図３に示す如く、一端側が開口された有底筒状のプラスチック（ＰＥＴ）や生分解プラスチック又はガラス管である。採血管６は、先端の開口部６ａ側が大径管部７とされており、該大径管部７に連続して小径管部８が形成されている。大径管部７の外径は、通常の一般的な採血管の外径と同じ１３ｍｍに設定されている。また小径管部８の外径は、７ｍｍに設定されている。更に、採血管６の全長は、７５ｍｍ又は１００ｍｍである。なお、採血管６の開口部６ａにはゴムなどの栓体（図示せず）が装着され、内部は減圧されている。減圧圧力は、採血量によってそれぞれ設定されている。本発明の場合、通常の減圧圧力よりも２〜３割程度低くなるように設定されている。
【００１４】  次に、このように構成された採血針１及び採血管６による採血手順を説明する。先ず、一般的に使用されている採血ホルダー９（図４参照）の外部上端側（図４のホルダー本体の左端側）に採血針１を嵌合装着する。このとき、採血針１のジョイント部４は適度の大きさの外径を有しているので、これを摘んで装着すると、装着作業がし易くなるように配慮されている。また採血針１を採血ホルダーへ装着した状態にあっては、採血針１のスリーブ３は、採血ホルダーの筒内の中心に貫通して挿通された状態となっている。
【００１５】    次に、採血作業を開始する。採血は、患者の腕に駆血体を縛り、血管の内部圧力を高めた状態で、採血ホルダー９に装着した状態の採血針１の採血針部２の針先を患者の血管へ挿し込む。そして、このような状態から栓体が装着された採血管６の開口端側を、前記採血ホルダー９の筒内へ押し込んで嵌合装着する。前記採血針１のスリーブ３が栓体に突き刺さって貫通し、採血管６の内部に挿通すると、採血管の減圧圧力によって、血管側から採血針１を通じて採血管６側へ血液が流入するようになる。この血液の流れは、ジョイント部４を透明材料で成形しているため、外部から確認することができ、採血作業者にとって便利である。
【００１６】  この実施の形態における採血針１は、前記採血針部２の圧力室５への開口面積をスリーブ３の圧力室５への開口面積よりも大きくなるように設定している。そのため、患者の血管側の圧力が一定であるとすると、圧力室５に面する採血針部２とスリーブ３との開口面積を同一にした場合に比較して、圧力室５からスリーブ３へ流入してこれを流れる血液の圧力が高くなる。
【００１７】  そのため、採血管６へ一定量の採血を行う場合に、前記圧力が増加した分だけ、製造時における採血管６の減圧圧力を低く設定することができ、採血開始時に減圧圧力が大きいことに起因して発生していた血管が潰れて上壁と低壁とが密着することを防止することができる。また誤って採血針部２を患者の血管から引き抜く前に駆血体を取り外した場合であっても、減圧圧力が低いので採血管６から患者の血管側へ採取した血液が逆流する現象の発生を激減させることができる。
【００１８】  また採血管６は、大径管部７と、小径管部８とを設け、大径管部７の外径を市販されている通常の採血管と同じ外径１３ｍｍとしている。そのため、当該採血管６を一般に使用されている採血ホルダー９に装着することが可能であり、別途当該採血管６のための採血ホルダーを準備する必要がない。更に、小径管部８を設け、当該小径管部８の外径を７ｍｍ程度にすることにより、少ない採血量の場合でも十分な検体の高さを確保することができ、採血の確認や試薬試験紙の浸潤などを確実に行うことができるようにしている。このように小径管部８を設けることにより、採血管６の全体の容積を小さくすることができ、採血管の廃棄時に嵩張らないようにしている。更に、採血管６を生分解プラスチックで成形した場合は、これを土中へ埋めて処分することも可能である。
【００１９】  本発明は、上述の実施の形態に限定されるものではなく、適宜の変更が可能である。例えば、採血管６の小径管部８の外径は、７ｍｍ以外の５〜１０ｍｍ等の範囲の外径であってもよい。
【符号の説明】
【００２０】  １…採血針
２…採血針部
２ａ…採血針開口
３…スリーブ
３ａ…スリーブ開口
４…ジョイント部
５…圧力室
６…採血管
６ａ…開口
７…大径管部
８…小径管部
９…採血ホルダー
【図１】
2010240380.tif 000003
【図２】
2010240380.tif 000004
【図３】
2010240380.tif 000005
【図４】
2010240380.tif 000006